(57)【要約】【課題】スタンドの正確な位置決めを低コストで可能にした表示装置及びテレビジョン受信機を提供する。【解決手段】表示装置本体１は、表示部をハウジング５内に収容している。スタンド２は、表示装置本体１を下から支持する。スタンド２は、脚部２１と、ハウジング５に下から取り付けられる取り付け部２３と、取り付け部２３からハウジング５へ突出した凸部２４を有する。ハウジング５は、下部に開口しており、凸部２４に係合する凹部を有する。スタンド２が表示装置本体１に取り付けられる際に凸部２４と凹部５６とが係合することによって、スタンド２がハウジング５に対して正確に位置決めされる。位置決めのために部品が増えることが無く、また、表示装置の構造が過度に複雑化することも無い。【選択図】図４
2017011485.tif 000002
【特許請求の範囲】
【請求項１】
前側に画像を表示する表示部と、該表示部を背後から保持する保持体と、前記表示部及び前記保持体を内部に収容し、前側が開口したハウジングと、スタンドとを備える表示装置において、
前記スタンドは、
前記ハウジングの下部に沿った形状をなし、前記ハウジングの下部に下から取り付けられる取り付け部と、
該取り付け部に連結した脚部と、
前記取り付け部から上へ突出しており、前記保持体の後部に固定される支柱と、
前記取り付け部から前記ハウジングへ向けて突出した凸部とを有し、
前記ハウジングは、
下部に開口しており、前記凸部に係合する凹部を有すること
を特徴とする表示装置。
【請求項２】
前記凹部は、前記凸部よりも前側の部分を含む第１の部品と、前記凸部よりも後側の部分を含む第２の部品とを含んだ複数の部品の組み合わせで形成されていること
を特徴とする請求項１に記載の表示装置。
【請求項３】
前記ハウジングは、
前記表示部の上、下及び両横に配置された第１の部分と、前記表示部の後に配置された第２の部分とを含んでなり、
前記第１の部品は前記第１の部分の一部であり、
前記第２の部品は前記第２の部分の一部であること
を特徴とする請求項２に記載の表示装置。
【請求項４】
前記スタンドは、前記凸部を複数有していること
を特徴とする請求項１乃至３のいずれか一つに記載の表示装置。
【請求項５】
前記ハウジングは、横面を有しており、
前記脚部は、
前記ハウジングの下に配置されており、
前記ハウジングが有する一つの横面とほぼ面一の側面を有していること
を特徴とする請求項１乃至４のいずれか一つに記載の表示装置。
【請求項６】
前記保持体の後部に取り付けられており、前記支柱を前記保持体に固定するための固定部を更に備え、
前記固定部は、固定された前記支柱の後に位置する部分を有し、
該部分には、前記支柱を固定するためのビスが貫通する貫通孔が形成されており、
該貫通孔は上下方向よりも横方向に長いこと
を特徴とする請求項１乃至５のいずれか一つに記載の表示装置。
【請求項７】
請求項１から６までの何れか一つに記載の表示装置と、
テレビジョン放送を受信する受信部とを備え、
前記受信部で受信したテレビジョン放送に基づいて前記表示装置で映像を表示するようにしてあること
を特徴とするテレビジョン受信機。
【発明の詳細な説明】
【技術分野】
【０００１】
本発明は、スタンドを備える表示装置及びテレビジョン受信機に関する。
【背景技術】
【０００２】
液晶ディスプレイ又はＥＬ（electroluminescence）ディスプレイ等の薄型の表示装置には、表示装置本体をスタンドで支持するものがある。表示装置本体は、画像を表示する矩形平板状の表示部と、表示部を背後から支持するシャーシと、表示部及びシャーシを収納するハウジングとを備えている。スタンドは、載置面に接するための脚部を有しており、脚部が表示装置本体の下側に位置するように表示装置本体に取り付けられる。通常、スタンドはシャーシに固定される。スタンドの表示装置本体に対する位置は、表示装置の外観の品位に影響する。そこで、スタンドの表示装置本体に対する位置決めを精密に行う必要がある。特許文献１には、シャーシに対して位置決めをしながらスタンドをシャーシに固定することが記載されている。
【先行技術文献】
【特許文献】
【０００３】
【特許文献１】特開２００９−３８５４０号公報
【発明の概要】
【発明が解決しようとする課題】
【０００４】
特許文献１に記載の技術では、スタンドはシャーシに対して位置決めされている。シャーシに対してスタンドを位置決めした場合、スタンドがハウジングに対して位置ずれを起こすことがある。ハウジング及びスタンドは人の目に触れ易く、スタンドがハウジングに対して位置ずれを起こした場合は外観の品位が悪化する。また、位置決めを行うために部品を増やすか、又は表示装置の構造を複雑化した場合は、表示装置の製造コストが増大する。
【０００５】
本発明は、斯かる事情に鑑みてなされたものであって、その目的とするところは、スタンドの正確な位置決めを低コストで可能にした表示装置及びテレビジョン受信機を提供することにある。
【課題を解決するための手段】
【０００６】
本発明に係る表示装置は、前側に画像を表示する表示部と、該表示部を背後から保持する保持体と、前記表示部及び前記保持体を内部に収容し、前側が開口したハウジングと、スタンドとを備える表示装置において、前記スタンドは、前記ハウジングの下部に沿った形状をなし、前記ハウジングの下部に下から取り付けられる取り付け部と、該取り付け部に連結した脚部と、前記取り付け部から上へ突出しており、前記保持体の後部に固定される支柱と、前記取り付け部から前記ハウジングへ向けて突出した凸部とを有し、前記ハウジングは、下部に開口しており、前記凸部に係合する凹部を有することを特徴とする。
【０００７】
本発明に係る表示装置は、前記凹部は、前記凸部よりも前側の部分を含む第１の部品と、前記凸部よりも後側の部分を含む第２の部品とを含んだ複数の部品の組み合わせで形成されていることを特徴とする。
【０００８】
本発明に係る表示装置は、前記ハウジングは、前記表示部の上、下及び両横に配置された第１の部分と、前記表示部の後に配置された第２の部分とを含んでなり、前記第１の部品は前記第１の部分の一部であり、前記第２の部品は前記第２の部分の一部であることを特徴とする。
【０００９】
本発明に係る表示装置は、前記スタンドは、前記凸部を複数有していることを特徴とする。
【００１０】
本発明に係る表示装置は、前記ハウジングは、横面を有しており、前記脚部は、前記ハウジングの下に配置されており、前記ハウジングが有する一つの横面とほぼ面一の側面を有していることを特徴とする。
【００１１】
本発明に係る表示装置は、前記保持体の後部に取り付けられており、前記支柱を前記保持体に固定するための固定部を更に備え、前記固定部は、固定された前記支柱の後に位置する部分を有し、該部分には、前記支柱を固定するためのビスが貫通する貫通孔が形成されており、該貫通孔は上下方向よりも横方向に長いことを特徴とする。
【００１２】
本発明に係るテレビジョン受信機は、本発明に係る表示装置と、テレビジョン放送を受信する受信部とを備え、前記受信部で受信したテレビジョン放送に基づいて前記表示装置で映像を表示するようにしてあることを特徴とする。
【発明の効果】
【００１３】
本発明にあっては、ハウジングに対するスタンドの正確な位置決めが低コストで実現される。従って、表示装置は、製造コストが抑制されながらも、外観の品位が保たれやすい等、本発明は優れた効果を奏する。
【図面の簡単な説明】
【００１４】
【図１】表示装置の模式的正面図である。
【図２】表示装置本体の分解斜視図である。
【図３】表示装置の一部を拡大した模式的斜視図である。
【図４】実施形態１に係るスタンドを示す模式的斜視図である。
【図５】リアキャビネットを外した表示装置の後側を示す模式的斜視図である。
【図６】リアキャビネットを外した表示装置の後側を示す模式的斜視図である。
【図７】実施形態１に係るハウジングの下部の一部を示す模式的斜視図である。
【図８】実施形態２に係る表示装置の一部の断面を示す部分断面図である。
【図９】実施形態３に係るスタンドを示す模式的斜視図である。
【図１０】実施形態３に係るハウジングの下部の一部を示す模式的斜視図である。
【発明を実施するための形態】
【００１５】
以下本発明をその実施の形態を示す図面に基づき具体的に説明する。
＜実施形態１＞
図１は、表示装置の模式的正面図である。表示装置は、前後方向の長さが直交する他の方向の長さに比べて著しく短い薄型に構成されている。表示装置は、画像を表示する表示部を有する表示装置本体１と、表示装置本体１を支持する二つのスタンド２とを備えている。表示装置本体１は、全体として薄型の直方体状である。表示装置本体１は、表示部により前面に画像を表示する。表示装置本体１の前面の表示部の短辺に沿った方向を上下方向とし、長辺に沿った方向を左右方向（横方向）とする。
【００１６】
表示装置は、内部に、受信部１０、図示しない入出力インタフェース、画像処理部、スピーカ及び電源等の他の部品を備えており、本発明に係るテレビジョン受信機として構成されている。受信部１０は、テレビジョン放送を受信し、表示部は、受信部１０で受信したテレビジョン放送に基づいた画像を表示する。なお、本発明に係るテレビジョン受信機は、表示装置本体１と分離された受信部を備える形態であってもよい。また、本実施形態に係る表示装置は、テレビジョン受信機以外の表示装置であってもよい。
【００１７】
図２は、表示装置本体１の分解斜視図である。表示装置本体１は、液晶パネル等の非発光型の表示パネル３１を備えている。表示パネル３１は矩形板状である。表示パネル３１の前には、表示パネル３１の前側の周縁部を覆う矩形枠状のフロントフレーム６１が配置されている。表示パネル３１の背後には、光を拡散・集光させる矩形状の光学シート３２が配置されている。光学シート３２は、光を拡散させる機能を有するシート、及び集光する機能を有するシート等、複数のシートが積層されて構成されている。光学シート３２の背後には、光を反射する反射シート３３が配置されている。反射シート３３には、多数の孔が形成されている。反射シート３３の背後には、前面に多数のＬＥＤ（light emitting diode）を実装したＬＥＤ基板３４が配置されている。ＬＥＤ基板３４に実装されたＬＥＤは、反射シート３３に形成された孔を通って反射シート３３から前方へ突出している。各ＬＥＤからの光は、直接に又は反射シート３３で反射されて光学シート３２へ入射し、光学シート３２で拡散・集光されながら光学シート３２を通過し、表示パネル３１の背面へ入射する。表示パネル３１は、入射した光を正面から放射することで画像を表示する。表示パネル３１、光学シート３２、反射シート３３及びＬＥＤ基板３４は、画像を表示する表示部３を構成している。また、ＬＥＤ基板３４は所謂バックライトである。
【００１８】
なお、表示部３は、バックライトにＬＥＤでは無く冷陰極管を用いた形態であってもよい。また、表示部３は、反射シート３２の後ろに配置した導光板と、導光板の端部へ光を入射するＬＥＤ又は冷陰極管等の光源とを有するエッジ型のバックライトを用いた形態であってもよい。また、表示部３は、ＥＬパネル等の発光型の表示パネル３１を備え、バックライトを備えていない形態であってもよい。
【００１９】
表示部３の背後には、矩形平板状のシャーシ（保持体）４が配置されている。シャーシ４は金属製である。シャーシ４と表示パネル３１との間には、矩形枠状のパネルシャーシ６２が設けられている。パネルシャーシ６２は、表示パネル３１を支持している。表示部３はシャーシ４に固定されている。シャーシ４は、表示部３を背後から保持する。受信部１０等の部品もシャーシ４に取り付けられている。表示部３及びシャーシ４の上下左右を覆う位置に、矩形枠状のミドルキャビネット５１が配置されている。シャーシ４の背後には、リアキャビネット５２が配置されている。ミドルキャビネット５１及びリアキャビネット５２は、連結してハウジング５を構成している。ミドルキャビネット５１はハウジング５の第１の部分に対応し、リアキャビネット５２はハウジング５の第２の部分に対応する。ハウジング５は前側が開口しており、表示部３を内部に収容している。なお、ハウジング５は、ミドルキャビネット５１とリアキャビネット５２とに分かれていない形態であってもよい。
【００２０】
スタンド２は、表示装置本体１の二箇所に取り付けられている。図３は、表示装置の一部を拡大した模式的斜視図である。図３には、表示装置本体１に一つのスタンド２が取り付けられている部分を拡大して示している。スタンド２は脚部２１を有しており、脚部２１は表示装置本体１の下に配置されている。脚部２１は、表示装置を載置するための床面等の載置面に接触し、表示装置本体１を下から支持する。スタンド２は、表示装置本体１の横方向の一端の下に脚部２１が位置するように取り付けられている。図３には、表示装置の前面に向かって右端の部分を示している。二つのスタンド２は、互いに左右対称となるように構成されており、表示装置の前面に向かって左端の部分にも、同様にスタンド２が設けられている。ハウジング５は、横面５３を有している。例えば、横面５３はミドルキャビネット５１の側面である。脚部２１は、側面２１１を有している。横面５３と側面２１１とはほぼ面一となっている。即ち、側面２１１はほぼ横面５３の延長面上にあり、表示装置は、横面５３の延長面から外側へ突出する部分が無い。この構成により、デザインの差別化及び外観の品位向上が図られている。
【００２１】
図４は、実施形態１に係るスタンド２を示す模式的斜視図である。図中には、表示装置本体１の一部を示しており、表示装置本体１にスタンド２が取り付けられていない状態を示している。スタンド２は、ハウジング５の下部に下から取り付けられる取り付け部２３と、取り付け部２３から上へ突出している支柱２２とを有している。脚部２１は、取り付け部２３に連結されている。支柱２２は、上下方向を長手方向とした柱状の部品である。取り付け部２３は、取り付けられるハウジング５の下部に沿った形状になっている。本実施形態では、取り付け部２３が板状になっている形態を示す。ハウジング５の下部には、支柱２２が挿入される挿入孔が形成されている。支柱２２は、挿入孔から表示装置本体１へ挿入され、ハウジング５の後ろからビス止めされて支柱２２が固定される。
【００２２】
図５及び図６は、リアキャビネット５２を外した表示装置の後側を示す模式的斜視図である。図５には、スタンド２が表示装置本体１に取り付けられていない状態を示し、図６には、スタンド２が表示装置本体１に取り付けられている状態を示す。実際には、スタンド２はリアキャビネット５２が存在する状態で表示装置本体１に取り付けられる。シャーシ４は、ほぼ板状に形成されている。シャーシ４の後部には、支柱２２を固定するための固定部４１が設けられている。
【００２３】
固定部４１は、長尺の部材であり、長手方向に直交する断面がＵ字状に形成されている。固定部４１は、長手方向が上下方向になり、前側がＵ字の開口側になるように、シャーシ４の後部に取り付けられている。表示装置本体１内へ挿入された支柱２２は、固定部４１及びシャーシ４の後部からなる筒状の部分に挿入され、挿入された支柱２２の後及び両横は固定部４１に囲われ、前側はシャーシ４に囲われる。固定部４１は、固定された支柱２２の後に位置する板状部材４１１を有する。板状部材４１１には貫通孔４１２が形成されている。また、支柱２２の後部にはねじ孔２５が形成されている。貫通孔４１２及びねじ孔２５は複数個形成されており、固定部４１及び支柱２２の長手方向に並んでいる。支柱２２が固定部４１に挿入された状態で、リアキャビネット５２の後からビスが螺入され、ビスが貫通孔４１２を貫通し、ビスがねじ孔１３に螺合して、支柱２２は固定される。このようにして、スタンド２は表示装置本体１に取り付けられる。ここで、貫通孔４１２は、上下方向よりも横方向に長くなっている。このため、固定された支柱２２は横方向に若干位置をずらすことが可能であり、スタンド２は横方向に若干位置をずらして位置を調整することが可能である。
【００２４】
図４に示すように、スタンド２は、取り付け部２３からハウジング５へ向けて突出した凸部２４を有している。図７は、実施形態１に係るハウジング５の下部５４の一部を示す模式的斜視図である。図７は、スタンド２が取り付けられていない状態の表示装置本体１を下から見た図であり、ハウジング５の下部５４の内、下からスタンド２が取り付けられるべき部分を示している。下部５４のスタンド２が取り付けられる部分は平面状であり、取り付け部２３が下から取り付けられる。ハウジング５には、凸部２４と係合する凹部５６が形成されている。下部５４には、支柱２２が挿入される挿入孔５５が開口しており、更に凹部５６が開口している。例えば、挿入孔５５はリアキャビネット５２に形成されており、凹部５６はミドルキャビネット５１に形成されている。
【００２５】
スタンド２が表示装置本体１に取り付けられる際には、支柱２２が挿入孔５５に挿入され、ハウジング５の下部５４に取り付け部２３が下から押し当てられる。このとき、凸部２４と凹部５６とが係合するように、取り付け部２３の取り付け位置が調整される。凸部２４と凹部５６とが係合する位置に取り付け部２３が取り付けられることで、スタンド２が位置決めされる。凸部２４及び凹部５６の位置は、係合したときにハウジング５の横面５３と脚部２１の側面２１１とがほぼ面一になるように定められている。もう一方のスタンド２の構成、及び表示装置本体１のもう一方のスタンド２が取り付けられる部分の構成も、左右が異なる以外は同様の構成になっている。
【００２６】
以上詳述したように、本実施形態においては、スタンド２に設けられた凸部２４とハウジング５に設けられた凹部５６とが係合することによって、スタンド２がハウジング５に対して位置決めされ、表示装置本体１に対するスタンド２の位置決めがなされている。スタンド２がシャーシ４に対して位置決めされる場合に比べて、スタンド２がハウジング５に対して正確に位置決めされ、位置ずれを起こし難い。スタンド２の脚部２１がハウジング５に対して位置ずれを起こし難いので、表示装置のバランスが崩れ難い。また、スタンド２がハウジング５に対して位置ずれを起こし難いので、表示装置の外観の品位が保たれやすい。更に、本実施形態においては、凸部２４と凹部５６との係合によって位置決めを行うので、位置決めのために部品が増えることが無く、また、表示装置の構造が過度に複雑化することも無い。従って、本実施形態では、ハウジング５に対するスタンド２の正確な位置決めが低コストで実現され、表示装置は、製造コストが抑制されながらも、外観の品位が保たれやすい。
【００２７】
＜実施形態２＞
図８は、実施形態２に係る表示装置の一部の断面を示す部分断面図である。図中の左側は表示装置の前側に対応し、図中の右側は表示装置の後側に対応する。図８には、スタンド２の凸部２４とハウジング５の凹部５６とが係合している部分の断面を示している。本実施形態では、ハウジング５の凹部５６は、二つの部品の組み合わせで形成されている。図８に示すように、凹部５６は、凸部２４よりも前側の部分を含む第１の部品５６１と、凸部２４よりも後側の部分を含む第２の部品５６２との組み合わせで形成されている。凸部２４よりも横側の部分は、第１の部品５６１又は第２の部品５６２の何れかに含まれている。第１の部品５６１は、ミドルキャビネット５１の一部であり、第２の部品５６２は、リアキャビネット５２の一部である。ミドルキャビネット５１とリアキャビネット５２とを連結することにより、凹部５６が形成される。表示装置のその他の部分の構成は、実施形態１と同様である。
【００２８】
射出成型でミドルキャビネット５１又はリアキャビネット５２を製造する場合、金型を抜く方向は前後方向になる。このため、下向きに凹になった凹部５６を一つの部品で構成するには、スライドコア又は傾斜ピン等の複雑な構造が金型に必要となる。本実施形態においては、前側の部分を含む第１の部品５６１と、後側の部分を含む第２の部品５６２とを個別に製造すればよく、第１の部品５６１及び第２の部品５６２はいずれも、製造のための金型に複雑な構造を必要としない。このため、表示装置の製造コストが抑制される。
【００２９】
なお、ハウジング５の凹部５６は、三つ以上の部品の組み合わせで形成されていてもよい。例えば、凸部２４よりも横側の部分は、第１の部品５６１及び第２の部品５６２以外の部品で形成されていてもよい。また、第１の部品５６１及び第２の部品５６２は、両方ともミドルキャビネット５１の一部であってもよく、両方ともリアキャビネット５２の一部であってもよい。この形態では、ミドルキャビネット５１又はリアキャビネット５２は、複数の部品の組み合わせで構成されている。
【００３０】
本実施形態においても、ハウジング５に対するスタンド２の正確な位置決めが低コストで実現される。表示装置は、製造コストが抑制されながらも、外観の品位が保たれやすい。
【００３１】
＜実施形態３＞
図９は、実施形態３に係るスタンド２を示す模式的斜視図である。スタンド２は、二つの凸部２４を備えている。二つの凸部２４は、共に取り付け部２３からハウジング５へ向けて突出しており、横方向に並んで配置されている。図１０は、実施形態３に係るハウジング５の下部５４の一部を示す模式的斜視図である。図１０は、スタンド２が取り付けられていない状態の表示装置本体１を下から見た図であり、ハウジング５の下部５４の内、下からスタンド２が取り付けられるべき部分を示している。ハウジング５には、凸部２４と係合する二つの凹部５６が形成されている。二つの凹部５６は、横方向に並んで配置されている。二つの凹部５６の間の距離は、二つの凸部２４の間の距離と同一である。表示装置のその他の部分の構成は、実施形態１又は２と同様である。
【００３２】
スタンド２が表示装置本体１に取り付けられる際には、支柱２２が挿入孔５５に挿入され、ハウジング５の下部５４に取り付け部２３が下から押し当てられ、凸部２４と凹部５６とが係合するように、取り付け部２３の取り付け位置が調整される。凸部２４及び凹部５６の位置は、係合したときにハウジング５の横面５３と脚部２１の側面２１１とがほぼ面一になるように定められている。
【００３３】
本実施形態においても、凸部２４と凹部５６とが係合することによって、スタンド２がハウジング５に対して位置決めされ、表示装置本体１に対するスタンド２の位置決めがなされる。横方向に並んだ二つの凸部２４と二つの凹部５６とが係合することによって、横方向の位置決めがより正確になされる。また、二つの凸部２４と二つの凹部５６とが係合することによって、上下方向に沿った回転軸の周りに回転する回転方向にスタンド２がハウジング５に対して位置ずれすることが防止される。従って、本実施形態では、スタンド２がハウジング５に対してより位置ずれを起こし難い。よって、ハウジング５に対するスタンド２のより正確な位置決めが低コストで実現され、表示装置は、製造コストが抑制されながらも、外観の品位がより保たれやすい。
【００３４】
なお、本実施形態においては、スタンド２が凸部２４及び凹部５６を二個有する形態を示したが、表示装置は、スタンド２が凸部２４及び凹部５６を三個以上有する形態であってもよい。また、以上の実施形態１〜３においては、ハウジング５の下部５４が平面状でありスタンド２の取り付け部２３が平板状である形態を示したが、ハウジング５の下部５４の形状は平面状以外の形状であってもよく、取り付け部２３の形状は、ハウジング５の下部５４に沿った形状であればよい。また、脚部２１及び支柱２２の形状は、実施形態１〜３で示した形状以外の形状であってもよい。また、実施形態１〜３においては、ハウジング５の横面５３と脚部２１の側面２１１とがほぼ面一になった例を示したが、表示装置は、横面５３と側面２１１とがほぼ面一になったものに限るものではない。また、実施の形態１〜３においては、表示装置本体１を二つのスタンド２で支持する形態を示したが、表示装置は、一つのスタンド２又は三つ以上のスタンド２で表示装置本体１を支持する形態であってもよい。また、実施の形態１〜３においては、一つのスタンド２が一つの支柱２２を有する形態を示したが、表示装置は、複数の支柱２２を有するスタンド２を備える形態であってもよい。
【００３５】
以上のように、本発明に係る表示装置は、前側に画像を表示する表示部（３）と、該表示部（３）を背後から保持する保持体（４）と、前記表示部（３）及び前記保持体（４）を内部に収容し、前側が開口したハウジング（５）と、スタンド（２）とを備える表示装置において、前記スタンド（２）は、前記ハウジング（５）の下部（５４）に沿った形状をなし、前記ハウジング（５）の下部（５４）に下から取り付けられる取り付け部（２３）と、該取り付け部（２３）に連結した脚部（２１）と、前記取り付け部（２３）から上へ突出しており、前記保持体（４）の後部に固定される支柱（２２）と、前記取り付け部（２３）から前記ハウジング（５）へ向けて突出した凸部（２４）とを有し、前記ハウジング（５）は、下部（５４）に開口しており、前記凸部（２４）に係合する凹部（５６）を有することを特徴とする。
【００３６】
本発明に係る表示装置は、前記凹部（５６）は、前記凸部（２４）よりも前側の部分を含む第１の部品（５６１）と、前記凸部（２４）よりも後側の部分を含む第２の部品（５６２）とを含んだ複数の部品の組み合わせで形成されていることを特徴とする。
【００３７】
本発明に係る表示装置は、前記ハウジング（５）は、前記表示部（３）の上、下及び両横に配置された第１の部分（５１）と、前記表示部（３）の後に配置された第２の部分（５２）とを含んでなり、前記第１の部品（５６１）は前記第１の部分（５１）の一部であり、前記第２の部品（５６２）は前記第２の部分（５２）の一部であることを特徴とする。
【００３８】
本発明に係る表示装置は、前記スタンド（２）は、前記凸部（２４）を複数有していることを特徴とする。
【００３９】
本発明に係る表示装置は、前記ハウジング（５）は、横面（５３）を有しており、前記脚部（２１）は、前記ハウジング（５）の下に配置されており、前記ハウジング（５）が有する一つの横面（５３）とほぼ面一の側面（２１１）を有していることを特徴とする。
【００４０】
本発明に係る表示装置は、前記保持体（４）の後部に取り付けられており、前記支柱（２２）を前記保持体（４）に固定するための固定部（４１）を更に備え、前記固定部（４１）は、固定された前記支柱（２２）の後に位置する部分（４１１）を有し、該部分（４１１）には、前記支柱（２２）を固定するためのビスが貫通する貫通孔（４１２）が形成されており、該貫通孔（４１２）は上下方向よりも横方向に長いことを特徴とする。
【００４１】
本発明に係るテレビジョン受信機は、本発明に係る表示装置と、テレビジョン放送を受信する受信部（１０）とを備え、前記受信部（１０）で受信したテレビジョン放送に基づいて前記表示装置で映像を表示するようにしてあることを特徴とする。
【００４２】
本発明においては、テレビジョン受信機としても用いられる表示装置は、表示部（３）と、表示部（３）を支持する保持体（４）と、ハウジング（５）と、スタンド（２）とを備える。スタンド（２）は、脚部（２１）と、保持体（４）に固定される支柱（２２）と、ハウジング（５）に下から取り付けられる取り付け部（２３）と、取り付け部（２３）からハウジング（５）へ突出した凸部（２４）を有する。ハウジング（５）は、凸部（２４）に係合する凹部（５６）を有する。凸部（２４）と凹部（５６）とが係合することによって、スタンド（２）がハウジング（５）に対して正確に位置決めされる。
【００４３】
また、本発明においては、凹部（５６）は、前側の第１の部品（５６１）と後側の第２の部品（５６２）とを含んだ複数の部品の組み合わせで形成されている。ハウジング（５）の製造のための金型にスライドコア又は傾斜ピン等の複雑な構造が不必要となる。
【００４４】
また、本発明においては、ハウジング（５）は、前側の第１の部分（５１）及び後側の第２の部分（５２）を含んでなる。第１の部品（５６１）は第１の部分（５１）の一部であり、第２の部品（５６２）は第２の部分（５２）の一部である。第１の部分（５１）及び第２の部分（５２）を組み合わせることにより、凹部（５６）も形成される。
【００４５】
また、本発明においては、スタンド（２）は複数の凸部（２４）を有している。複数の凸部（２４）及び凹部（５６）が係合することにより、スタンド（２）がハウジング（５）に対してより正確に位置決めされる。
【００４６】
また、本発明においては、ハウジング（５）の横面（５３）と脚部（２１）の側面（２１１）とはほぼ面一になっており、外観の品位を向上させている。
【００４７】
また、本発明においては、支柱（２２）を保持体（４）に固定するための固定部（４１）の後側の部分には、支柱（２２）を固定するための横長の貫通孔（４１２）が形成されている。スタンド（２）の取り付け時に、凸部（２４）と凹部（５６）とが係合するように、スタンド（２）の位置を横方向にずらして位置調整が可能である。
【符号の説明】
【００４８】
１  表示装置本体
１０  受信部
２  スタンド
２１  脚部
２１１  側面
２２  支柱
２３  取り付け部
２４  凸部
３  表示部
４  シャーシ（保持体）
４１  固定部
４１１  板状部材
４１２  貫通孔
５  ハウジング
５１  ミドルキャビネット（第１の部分）
５２  リアキャビネット（第２の部分）
５３  横面
５４  下部
５５  挿入孔
５６  凹部
５６１  第１の部品
５６２  第２の部品
【図１】
2017011485.tif 000003
【図２】
2017011485.tif 000004
【図３】
2017011485.tif 000005
【図４】
2017011485.tif 000006
【図５】
2017011485.tif 000007
【図６】
2017011485.tif 000008
【図７】
2017011485.tif 000009
【図８】
2017011485.tif 000010
【図９】
2017011485.tif 000011
【図１０】
2017011485.tif 000012